(57)【要約】【課題】サイズや断面形状が異なるより多種類の絶縁被覆を確実にしかも簡便に切断除去でき、しかも全体がコンパクトなワイヤーストリッパーを提供する。【解決手段】交差配置される一対のアーム１・２と、両アーム１・２の交差壁１ａ・２ａの間に配置される中間刃体３とを枢支軸４で連結する。一方のアーム１のあご部１ｂと中間刃体３との対向縁、および他方のアーム２のあご部２ｂと中間刃体３との対向縁のそれぞれに、複数個の切刃１８〜２３を多列状に配置する。各アーム１・２と中間刃体３との間に、中間刃体３の揺動を規制するロック体５を設ける。ロック体５と一方のアーム２とで中間刃体３を固定した状態において、他方のアーム１と中間刃体３との間で絶縁被覆を切断できるようにする。【選択図】図１
2008289328.tif 000002
【特許請求の範囲】
【請求項１】
交差配置される一対のアーム（１・２）と、両アーム（１・２）の交差壁（１ａ・２ａ）の間に配置される中間刃体（３）と、これら三者（１ａ・２ａ・３）を連結する枢支軸（４）とを備えており、
一方のアーム（１）のあご部（１ｂ）と中間刃体（３）との対向縁、および他方のアーム（２）のあご部（２ｂ）と中間刃体（３）との対向縁のそれぞれに、複数個の切刃（１８〜２３）が列状に配置されており、
各アーム（１・２）と中間刃体（３）との間に、中間刃体（３）の揺動を規制するロック体（５）が設けられており、
ロック体（５）と一方のアーム（２）とで中間刃体（３）を固定した状態において、他方のアーム（１）と中間刃体（３）との間で絶縁被覆を切断できるワイヤーストリッパー。
【請求項２】
各アーム（１・２）のあご部（１ａ・２ａ）と中間刃体（３）の対向縁に、外被覆用の切刃（１８・１９・２１・２２）と、内被覆用の切刃（２０・２３）とが設けられており、
各切刃（１８〜２３）の切刃中心線（Ｐ１〜Ｐ６）が、枢支軸（４）の中心を通る放射方向線上に設けられ、各切刃（１８〜２３）の位置が枢支軸（４）から遠ざかるに従って、各切刃中心線（Ｐ１〜Ｐ６）と中間刃体（３）の中心軸線（Ｑ）とで挟む角度が小さくなるように構成してある請求項１記載のワイヤーストリッパー。
【請求項３】
中間刃体（３）が、枢支軸（４）で軸支される基部（１２）と、左右側縁の前後に切刃（１８〜２３）が形成される刃主部（１３）と、刃主部（１３）の突端に設けられるストッパー部（１４）とを一体に備えており、
各アーム（１・２）の交差壁（１ａ・２ａ）に、中間刃体（３）の揺動を規制するロックレバー（５・５）が設けられており、
基部（１２）の左右に、各ロックレバー（５・５）で受け止められる係合部（１５・１５）が形成されており、
各アーム（１・２）のあご部（１ａ・２ａ）の先端に、ストッパー部（１４）で受け止められる規制段部（３０・３０）が形成してある請求項１または２記載のワイヤーストリッパー。
【請求項４】
各アーム（１・２）のあご部（１ａ・２ａ）と中間刃体（３）の対向縁に、電力ケーブルを切断する切断刃（１７）と、外被覆用の切刃（１８・１９・２１・２２）と、内被覆用の切刃（２０・２３）とが、枢支軸（４）に近い側から記載順に配置してある請求項２または３記載のワイヤーストリッパー。
【請求項５】
Ｘ字状に交差配置される一対のアーム（１・２）と、両アーム（１・２）の交差壁（１ａ・２ａ）の間に配置される中間刃体（３）と、各アーム（１・２）と中間刃体（３）を連結する２個の枢支軸（４Ａ・４Ｂ）とを備えており、
各アーム（１・２）の交差壁（１ａ・２ａ）には、枢支軸（４Ａ・４Ｂ）との相対揺動動作を許す逃げ溝（３３）が形成されており、
一方のアーム（１）のあご部（１ｂ）と中間刃体（３）との対向縁、および他方のアーム（２）のあご部（２ｂ）と中間刃体（３）との対向縁のそれぞれに、複数個の切刃（１８〜２３）が列状に配置されており、
各アーム（１・２）と中間刃体（３）との間に、中間刃体（３）の揺動を規制するロック体（５）が設けられており、
ロック体（５）と一方のアーム（２）とで中間刃体（３）を固定した状態において、他方のアーム（１）と中間刃体（３）との間で絶縁被覆を切断できることを特徴とするワイヤーストリッパー。
【請求項６】
各アーム（１・２）のあご部（１ａ・２ａ）と中間刃体（３）の対向縁に、外被覆用の切刃（１８・１９・２１・２２）と、内被覆用の切刃（２０・２３）とが設けられており、
各切刃（１８〜２３）の切刃中心線（Ｐ７・Ｐ８）が、各枢支軸（４Ａ・４Ｂ）の中心を通る平行線上に設けてある請求項５記載のワイヤーストリッパー。
【請求項７】
交差配置される一対のアーム（１・２）と、両アーム（１・２）の交差壁（１ａ・２ａ）の間に配置される中間刃体（３）と、これら三者（１ａ・２ａ・３）を連結する１個の枢支軸（４）、または２個の枢支軸（４Ａ、４Ｂ）を備えており、
一方のアーム（１）のあご部（１ｂ）と中間刃体（３）との対向縁に複数個の切刃（１８〜２０）が列状に配置されており、他方のアーム（２）のあご部（２ｂ）と中間刃体（３）との対向縁に、複数個のかしめ刃（４１〜４４）が列状に配置されており、
各アーム（１・２）と中間刃体（３）との間に、中間刃体（３）の揺動を規制するロック体（５）が設けられており、
ロック体（５）と他方のアーム（２）とで中間刃体（３）を固定した状態において、一方のアーム（１）と中間刃体（３）とに設けた切刃（１８〜２０）で絶縁被覆を切断でき、ロック体（５）と一方のアーム（１）とで中間刃体（３）を固定した状態において、他方のアーム（２）と中間刃体（３）とに設けたかしめ刃（４１〜４４）で圧着端子をかしめ処理できるワイヤーストリッパー。
【発明の詳細な説明】
【技術分野】
【０００１】
本発明は、絶縁被覆を除去するためのプライヤー型のワイヤーストリッパーに関する。
【背景技術】
【０００２】
例えば、低圧屋内配線用の電力ケーブルは、２ないし３本の芯線と、これらの芯線を個別に被覆する内被覆と、内被覆をまとめて被覆する外被覆とで構成してあり、被覆芯線の配列および外被覆線の断面形状の違いに応じて丸形と平形とがある。このような内外の各絶縁被覆を切断し除去するために、プライヤー型のワイヤーストリッパーでは、２芯線用の外被覆を切断する切刃と、３芯線用の外被覆を切断する切刃と、内被覆を切断する切刃を設けている。
【０００３】
市販されているプライヤー型のワイヤーストリッパーにおいては、図１３に示すようにＸ字状に連結される一対のアーム５１・５２のアゴ部５１ａ・５２ａ側に、線材を切断する切刃５３と、内被覆を切断する３種の切刃５４を設け、握り柄５１ｂ・５２ｂ側に外被覆を切断する３種の切刃５５を設けている。内被覆を切断する３種の切刃５４は、芯線の直径寸法の違いに対応して設けられており、外被覆を切断する３種の切刃５５は、電力ケーブルの２芯構造と３芯構造の違い、および２芯構造における芯線の直径寸法の違いに対応して設けてある。符号５６は、両アーム５１・５２を連結する連結軸である。この種のワイヤーストリッパーは、特許文献１、２などに見ることができる。
【０００４】
【特許文献１】意匠登録第１２８７９４８号公報
【特許文献２】意匠登録第５５８３３４号公報
【発明の開示】
【発明が解決しようとする課題】
【０００５】
上記のワイヤーストリッパーによれば、サイズと断面形状が異なる３種の外被覆を切断除去でき、さらに芯線直径が異なる３種の内被覆を切断除去できる。しかし、各切刃に適合しない電力ケーブルや、被覆芯線を切断除去する場合には、別途適合した切刃を備えたワイヤーストリッパーを用意する必要がある。このような不便を解消するためには、アゴ部側に設けられる切刃の数と、握り柄側に設けられる切刃の数を増やせばよいが、新たな問題を生じる。切刃を追加すると、いずれかの切刃がアームの連結軸から遠く離れざるを得ない。そのため、アームの連結軸から最も離れた切刃で絶縁被覆を切断するときに大きな力を必要とし、とくに外被覆を切断する場合に切断しにくく切断面が凸凹になりやすい。ワイヤーストリッパーの全長が大きくなることも避けられない。
【０００６】
本発明の目的は、サイズや断面形状が異なるより多種類の絶縁被覆を確実にしかも簡便に切断除去できるワイヤーストリッパーを提供することにある。本発明の目的は、全体がコンパクト化されていて取り扱いが容易なワイヤーストリッパーを提供することにある。本発明の目的は、太さが異なる絶縁被覆を効果的に切断除去して、絶縁被覆の除去作業を迅速に行えるワイヤーストリッパーを提供することにある。
【課題を解決するための手段】
【０００７】
本発明のワイヤーストリッパーは、交差配置される一対のアーム１・２と、両アーム１・２の交差壁１ａ・２ａの間に配置される中間刃体３と、これら三者１ａ・２ａ・３を連結する枢支軸４とを備えている。一方のアーム１のあご部１ｂと中間刃体３との対向縁、および他方のアーム２のあご部２ｂと中間刃体３との対向縁のそれぞれに、複数個の切刃１８〜２３を列状に配置する。各アーム１・２と中間刃体３との間に、中間刃体３の揺動を規制するロック体５を設ける。ロック体５と一方のアーム２とで中間刃体３を固定した状態において、他方のアーム１と中間刃体３との間で絶縁被覆を切断できるようにする。
【０００８】
各アーム１・２のあご部１ａ・２ａと中間刃体３の対向縁に、外被覆用の切刃１８・１９・２１・２２と、内被覆用の切刃２０・２３とを設ける。各切刃１８〜２３の切刃中心線Ｐ１〜Ｐ６は、枢支軸４の中心を通る放射方向線上に設け、各切刃１８〜２３の位置が枢支軸４から遠ざかるに従って、各切刃中心線Ｐ１〜Ｐ６と中間刃体３の中心軸線Ｑとで挟む角度が小さくなるように構成する。
【０００９】
中間刃体３は、枢支軸４で軸支される基部１２と、左右側縁の前後に切刃１８〜２３が形成される刃主部１３と、刃主部１３の突端に設けられるストッパー部１４とを一体に備えている。各アーム１・２の交差壁１ａ・２ａに、中間刃体３の揺動を規制するロックレバー５・５を設ける。基部１２の左右に、各ロックレバー５・５で受け止められる係合部１５・１５を形成する。各アーム１・２のあご部１ａ・２ａの先端に、ストッパー部１４で受け止められる規制段部３０・３０を形成する。
【００１０】
各アーム１・２のあご部１ａ・２ａと中間刃体３の対向縁に、電力ケーブルを切断する切断刃１７と、外被覆用の切刃１８・１９・２１・２２と、内被覆用の切刃２０・２３とを、枢支軸４に近い側から記載順に配置する。
【００１１】
本発明の別のワイヤーストリッパーは、Ｘ字状に交差配置される一対のアーム１・２と、両アーム１・２の交差壁１ａ・２ａの間に配置される中間刃体３と、各アーム１・２と中間刃体３を連結する２個の枢支軸４Ａ・４Ｂとを備えている。各アーム１・２の交差壁１ａ・２ａには、枢支軸４Ａ・４Ｂとの相対揺動動作を許す逃げ溝３３を形成する。一方のアーム１のあご部１ｂと中間刃体３との対向縁、および他方のアーム２のあご部２ｂと中間刃体３との対向縁のそれぞれに、複数個の切刃１８〜２３を列状に配置する。各アーム１・２と中間刃体３との間に、中間刃体３の揺動を規制するロック体５を設ける。ロック体５と一方のアーム２とで中間刃体３を固定した状態において、他方のアーム１と中間刃体３との間で絶縁被覆を切断できるようにする。
【００１２】
各アーム１・２のあご部１ａ・２ａと中間刃体３の対向縁に、外被覆用の切刃１８・１９・２１・２２と、内被覆用の切刃２０・２３とを設ける。各切刃１８〜２３の切刃中心線Ｐ７・Ｐ８を、各枢支軸４Ａ・４Ｂの中心を通る平行線上に設ける。
【００１３】
本発明のさらに別のワイヤーストリッパーは、交差配置される一対のアーム１・２と、両アーム１・２の交差壁１ａ・２ａの間に配置される中間刃体３と、これら三者１ａ・２ａ・３を連結する１個の枢支軸４、または２個の枢支軸４Ａ・４Ｂを備えている。一方のアーム１のあご部１ｂと中間刃体３との対向縁には、複数個の切刃１８〜２０が列状に配置されており、他方のアーム２のあご部２ｂと中間刃体３との対向縁には、複数個のかしめ刃４１〜４４が列状に配置されている。各アーム１・２と中間刃体３との間に、中間刃体３の揺動を規制するロック体５を設ける。ロック体５と他方のアーム２とで中間刃体３を固定した状態において、一方のアーム１と中間刃体３とに設けた切刃１８〜２０で絶縁被覆を切断できる。さらに、ロック体５と一方のアーム１とで中間刃体３を固定した状態において、他方のアーム２と中間刃体３とに設けたかしめ刃４１〜４４で圧着端子をかしめ処理できるようにする。
【発明の効果】
【００１４】
本発明のワイヤーストリッパーは、交差配置される一対のアーム１・２と、両アーム１・２の交差壁１ａ・２ａの間に配置される中間刃体３とを枢支軸４で連結し、一方のアーム１のあご部１ｂと中間刃体３との対向縁、および他方のアーム２のあご部２ｂと中間刃体３との対向縁のそれぞれに、複数個の切刃１８〜２３を列状に配置するようにした。このように、各アーム１・２と中間刃体３の対向縁のそれぞれに、切刃１８〜２３を列状に設けると、切刃形成箇所の長さ寸法が大きくなるのを避けながら、より多くの切刃１８〜２３を形成することができ、サイズや断面形状が異なるより多種類の絶縁被覆を確実にしかも簡便に切断除去できる。また、より多くの切刃１８〜２３を備えていながら、切刃形成箇所の長さ寸法を小さくできるので、絶縁被覆を切断するときの切断モーメントが極端に小さくなるのを解消でき、その分だけワイヤーストリッパーの使い勝手を向上できる。
【００１５】
さらに、各アーム１・２と中間刃体３との間に、中間刃体３の揺動を規制するロック体５を設け、中間刃体３をいずれか一方のアーム１（または２）と一体化した状態で、各アーム１・２を択一的に使用できるようにするので、絶縁被覆を切断するとき中間刃体３がぐらつくことがなく、絶縁被覆の除去作業を的確に行うことができる。
【００１６】
各アーム１・２のあご部１ａ・２ａと中間刃体３の対向縁に、外被覆用の切刃１８・１９・２１・２２と、内被覆用の切刃２０・２３とを設け、各切刃１８〜２３の切刃中心線Ｐ１〜Ｐ６を枢支軸４の中心を通る放射方向線上に設けたうえで、各切刃１８〜２３の位置が枢支軸４から遠ざかるに従って、各切刃中心線Ｐ１〜Ｐ６と中間刃体３の中心軸線Ｑとで挟む角度が小さくなるように構成すると、各切刃１８〜２３を階段状に配置して、左右のあご部１ｂ・２ｂの幅寸法が大きくなるのを抑止し、多数個の切刃１８〜２３を備えているにもかかわらずワイヤーストリッパーをコンパクト化できる。
【００１７】
基部１２と、刃主部１３と、刃主部１３の突端に設けられるストッパー部１４などで中間刃体３を構成し、各アーム１・２の交差壁１ａ・２ａにロックレバー５・５を設け、基部１２の左右に各ロックレバー５・５で受け止められる係合部１５・１５を形成し、さらに各アーム１・２のあご部１ａ・２ａの先端に、ストッパー部１４で受け止められる規制段部３０・３０を形成したワイヤーストリッパーによれば、あご部１ａ・２ａの先端のストッパー部１４と交差壁１ａ・２ａに設けたロックレバー５・５とで、中間刃体３の上下端を確実にロック保持でき、絶縁被覆を除去する際に中間刃体３がぐらつくのをよく防止できる。したがって、外被覆の切断除去から内被覆に至る一連の絶縁被覆の除去作業を的確に行うことができる。ロックレバー５が握り柄１ｃ・２ｃの近傍に配置されるので、ロックレバー５が絶縁被覆の除去作業の邪魔になるのを防止でき、さらにロックレバー５の切り換え操作を手許側で簡便に行える。
【００１８】
各アーム１・２のあご部１ａ・２ａと中間刃体３の対向縁に、電力ケーブルを切断する切断刃１７と、外被覆用の切刃１８・１９・２１・２２と、内被覆用の切刃２０・２３とを、枢支軸４に近い側から記載順に配置したワイヤーストリッパーによれば、切断負荷が大きい切刃を枢支軸４の近くに配置できるので、握り柄１ｃ・２ｃを握り締めたときに各切刃１８〜２３に作用する切断モーメントを好適化して、太さが異なる被覆電線の切断と、絶縁被覆の切断除去作業とを効果的にしかも迅速に行うことができる。
【００１９】
本発明の別のワイヤーストリッパーは、交差配置される一対のアーム１・２と、両アーム１・２の交差壁１ａ・２ａの間に配置される中間刃体３とを２個の枢支軸４Ａ・４Ｂで連結し、一方のアーム１のあご部１ｂと中間刃体３との対向縁、および他方のアーム２のあご部２ｂと中間刃体３との対向縁のそれぞれに、複数個の切刃１８〜２３を列状に配置するようにした。このように、各アーム１・２と中間刃体３の対向縁のそれぞれに、切刃１８〜２３を多列状に設けると、先のワイヤーストリッパーと同様に、切刃形成箇所の長さ寸法が大きくなるのを避けながら、より多くの切刃１８〜２３を形成することができ、サイズや断面形状が異なるより多種類の絶縁被覆を確実にしかも簡便に切断除去できる。また、より多くの切刃１８〜２３を備えていながら、切刃形成箇所の長さ寸法を小さくできるので、絶縁被覆を切断するときの切断モーメントが極端に小さくなるのを解消でき、その分だけワイヤーストリッパーの使い勝手を向上できる。
【００２０】
さらに、各アーム１・２と中間刃体３との間に、中間刃体３の揺動を規制するロック体５を設け、中間刃体３をいずれか一方のアーム１（または２）と一体化した状態で、各アーム１・２を択一的に使用できるようにするので、絶縁被覆を切断するとき中間刃体３がぐらつくことがなく、絶縁被覆の除去作業を的確に行うことができる。
【００２１】
各アーム１・２のあご部１ａ・２ａと中間刃体３の対向縁に、外被覆用の切刃１８・１９・２１・２２と、内被覆用の切刃２０・２３とを設け、各切刃１８〜２３の切刃中心線Ｐ７・Ｐ８を、各枢支軸４Ａ・４Ｂの中心を通る平行線上に設けるワイヤーストリッパーによれば、左右のあご部１ｂ・２ｂの幅寸法をさらに小さくして、ワイヤーストリッパーをコンパクト化し、その取り扱いを容易化できる。さらに、各切刃１８〜２３の切刃中心線Ｐ７・Ｐ８が中間刃体３の中心軸線Ｑと平行になるので、左右一対のアームで構成したワイヤーストリッパーと同様の感覚で絶縁被覆を切断除去でき、したがって、外被覆や内被覆などの絶縁被覆を切断除去するときの作業性を向上できる。
【００２２】
本発明のさらに別のワイヤーストリッパーでは、交差配置される一方のアーム１のあご部１ｂと中間刃体３との対向縁に、複数個の切刃１８〜２０を配置し、他方のアーム２のあご部２ｂと中間刃体３との対向縁に、複数個のかしめ刃４１〜４４を配置すると、一方のアーム１と中間刃体３とに設けた切刃１８〜２０で絶縁被覆を切断した後、他方のアーム２と中間刃体３とに設けたかしめ刃４１〜４４で圧着端子をかしめ処理できるので、絶縁被覆の剥離から圧着端子のかしめ処理にいたる一連の作業を迅速に、しかも簡便に行える。
【発明を実施するための最良の形態】
【００２３】
（実施例）  図１ないし図６は本発明に係るワイヤーストリッパーの実施例を示す。図１においてワイヤーストリッパーは、Ｘ字状に交差配置される左右一対のアーム１・２と、両アーム１・２の交差壁１ａ・２ａの間に配置される中間刃体３と、両交差壁１ａ・２ａと中間刃体３の三者を同時に貫通する状態で連結する枢支軸４と、中間刃体３の揺動変位を規制する左右一対のロックレバー（ロック体）５などで構成する。
【００２４】
図２に示すように各アーム１・２は、逆Ｌ字状の交差壁１ａ・２ａと、交差壁１ａ・２ａの一側上方に連続するあご部１ｂ・２ｂと、交差壁１ａ・２ａの他側下方に連続する握り柄１ｃ・２ｃとを一体に備えた鍛造品からなる。図１に向かって右側のアーム１と左側のアーム２とは、同形のブランク材に研削加工を施して形成してあり、後述するようにあご部１ｂ・２ｂに形成される切刃形状が僅かに異なる。
【００２５】
交差壁１ａ・２ａとあご部１ｂ・２ｂとは同一平面上に設けるが、握り柄１ｃ・２ｃは、その上端寄りで中間刃体３の厚み寸法分だけ交差壁１ａ・２ａから段落ち状に折り曲げられて、その殆どの部分がプラスチック製のグリップ６で覆われている。段落ち部分の近傍内縁にはばね受け用の突起８が形成してある。あご部１ｂ・２ｂの上端の爪部分７も、同様にあご部１ｂ・２ｂから段落ち状に折り曲げられていて、その先端に芯線を曲げ加工するための挟持爪９が設けてある。符号１０は両アーム１・２を拡開付勢するばねである。
【００２６】
中間刃体３は、枢支軸４で軸支される基部１２と、基部１２に連続する刃主部１３と、刃主部１３の突端に設けられる四角形状のストッパー部１４とを一体に備えた鍛造品からなる。基部１２の下部両側には、各ロックレバー５で受け止められる係合段部（係合部）１５が切り欠き形成してある。
【００２７】
図６に示すように枢支軸４は、筒軸内面にねじ孔が形成してある雌ねじ体４ａと、雌ねじ体４ａにねじ込まれる雄ねじ体４ｂと、雄ねじ体４ｂと対向する状態で雌ねじ体４ａにねじ込まれるロックねじ４ｃとで構成してある。左右一対のアーム１・２と、これらアーム１・２の間に配置した中間刃体３とを枢支軸４で連結した状態においては、図５に示すように左方のあご部１ｂの後面と中間刃体３の前面とが面一になり、右方のあご部２ｂの前面と中間刃体３の後面とが面一になっていて、それぞれが鋏刃状の切刃面を形成する。左右の左方のあご部１ｂ・２ｂ、および中間刃体３の各切刃面は研削仕上げが施されている。
【００２８】
各あご部１ｂ・２ｂと中間刃体３の対向縁には、図３に示すようにそれぞれ枢支軸４に近い側から順に、電力ケーブルを単に切断する切断刃１７と、外被覆を切断するための２種の切刃１８・１９・２１・２２と、内被覆を切断するための切刃２０・２３とが記載順に形成してある。
【００２９】
詳しくは、左方のあご部１ｂと中間刃体３の対向縁に形成される外被覆用の２種の切刃１８・１９のうち、前者切刃１８は芯線直径が１．６ｍｍの３本の被覆芯線を外被覆で覆った平形の電力ケーブルに対応したものであり、後者切刃１９は芯線直径が１．６ｍｍの２本の被覆芯線を外被覆で覆った平形の電力ケーブルに対応したものである。また、内被覆用の切刃２０は、直径が１．６ｍｍの芯線に対応したものである。絶縁被覆を切断する各切刃１８・１９・２０の上下には、電力ケーブルを切刃部分にあてがうときの案内突起２４が形成してある。
【００３０】
右方のあご部２ｂと中間刃体３の対向縁に形成される外被覆用の２種の切刃２１・２２のうち、前者切刃２１は芯線直径が２．０ｍｍの３本の被覆芯線を外被覆で覆った平形の電力ケーブルに対応したものであり、後者切刃２２は芯線直径が２．０ｍｍの２本の被覆芯線を外被覆で覆った平形の電力ケーブルに対応したものである。また、内被覆用の切刃２３は、直径が２．０ｍｍの芯線に対応したものである。絶縁被覆を切断する各切刃２１・２２・２３の上下には、電力ケーブルを切刃部分にあてがうときの案内突起２５が形成してある。このように各切刃を構成することにより、１個のワイヤーストリッパーのみで、芯線直径が異なり、しかも芯線本数が異なる４種の平形電力ケーブルの絶縁被覆を切断除去できる。なお、各切刃１７〜２３は、各あご部１ｂ・２ｂと中間刃体３の片面から研削加工を施して波形に形成してある。内被覆用の切刃２０・２３は、直径が１．６ｍｍ、２．０ｍｍ、２．６ｍｍのうち、２種に対応した切刃で構成することができる。
【００３１】
ロックレバー５は、操作部を兼ねる基部２７と、先の係合段部１５に係脱するロックアーム２８を一体に備えたＬ字状のプレス金具からなり、基部２７の隅部分がビス２９で交差壁１ａ・２ａの握り柄１ｃ・２ｃ寄りに締結してある。図３に示すように、右方のアーム２に締結したロックレバー５を、中間刃体３の左側の係合段部１５に接当係合した状態では、中間刃体３のストッパー部１４が右方のアーム２の爪部分７に設けた規制段部３０で受け止められるので、中間刃体３は右方のアーム２と一体化され、左方のアーム１に対して相対揺動できる。
【００３２】
逆に、左方のアーム１に締結したロックレバー５を、中間刃体３の右側の係合段部１５に接当係合した状態では、中間刃体３のストッパー部１４が左方のアーム１の爪部分７に設けた規制段部３０で受け止められるので、中間刃体３は左方のアーム１と一体化され、左方のアーム２に対して相対揺動できる。
【００３３】
図４に示すように絶縁被覆を切断する各切刃１８〜２３は、それぞれの切刃中心線Ｐ１〜Ｐ６が枢支軸４の中心を通る放射方向線上に位置し、しかも、各切刃１８〜２３の位置が枢支軸４から遠ざかるに従って、各切刃中心線Ｐ１〜Ｐ６と中間刃体３の中心軸線Ｑとで挟む角度が小さくなるように形成してある。このように、６種類の各切刃１８〜２３を階段状に配置すると、左右のあご部１ｂ・２ｂの幅寸法が大きくなるのを抑止しながら、各切刃１８〜２３を枢支軸４の側から切断付加が大きい順に配置して、握り柄１ｃ・２ｃを握り締めたときに各切刃１８〜２３に作用する切断モーメントを好適化できる。
【００３４】
使用時には、左右いずれかのロックレバー５を係合段部１５から退避揺動させ、処理対象の電力ケーブルに適合した切刃を選定する。例えば、芯線直径が１．６ｍｍで、３本の被覆芯線が外被覆で覆ってある平形電力ケーブルの接続端を剥離処理する場合には、図３に示すように、中間刃体３を右方のアーム２と、同アーム２に装着されたロックレバー５でロック保持する。この状態の切刃１８にケーブルを挟み込んで外被覆を切断し、電力ケーブルを抜き出し操作しながら切断された外被覆部分を除去する。さらに、３個の内被覆を切刃２０に挟み込んで内被覆を切断し、電力ケーブルを抜き出し操作しながら切断された内被覆部分を除去する。必要があれば、露出した各芯線を挟持爪９で挟んで折り曲げて、ビス止めされるリング状の端子を形成する。また、芯線直径が２．０ｍｍの平形電力ケーブルの接続端を剥離処理する場合には、中間刃体３を左方のアーム１と、同アーム１に装着されたロックレバー５でロック保持して、右方のアーム２と中間刃体３とで内外の被覆を剥離処理する。不使用時には、左右のロックレバー５・５を係合段部１５に係合することにより、左右のアーム１・２を開放規制できる。
【００３５】
図７ないし図９はワイヤーストリッパーの別の実施例を示す。この実施例におけるワイヤーストリッパーの基本構造は、先の実施例におけるワイヤーストリッパーの構造と概ね同じであるが、Ｘ字状に交差配置される一対のアーム１・２と、両アーム１・２の交差壁１ａ・２ａの間に配置される中間刃体３とを、各アーム１・２に対応する２個の枢支軸４Ａ・４Ｂで連結する点が大きく異なる。
【００３６】
上記の構造変更に伴って交差壁１ａ・２ａと基部１２の外郭形状が変更され、各交差壁１ａ・２ａには、枢支軸４Ａ・４Ｂとの相対揺動動作を許す逃げ溝３３が形成される。また、各アーム１・２をそれぞれ専用の枢支軸４Ａ・４Ｂで軸支することに伴って、絶縁被覆を切断する各切刃１８〜２３の切刃中心線Ｐ７・Ｐ８を、図８に示すように各枢支軸４Ａ・４Ｂの中心を通る平行線上に設ける。逃げ溝３３は、各枢支軸４Ａ・４Ｂの中心を円弧中心とする部分円弧で形成してあり、各枢支軸４Ａ・４Ｂは、一方のアーム１と中間刃体３、および他方のアーム２と中間刃体３を締結するだけで、逃げ溝３３と各枢支軸４Ａ・４Ｂとは相対遊動できる関係にある。他は先の実施例と同じであるので、同じ部材に同じ符号を付してその説明を省略する。以下の実施例においても同様に扱う。
【００３７】
使用時には、左右いずれかのロックレバー５を係合段部１５から退避揺動させ、処理対象の電力ケーブルに適合した切刃を選定する。例えば、図７に示すように、左方のアーム１に設けたロックレバー５を退避揺動して、中間刃体３を右方のアーム２と、同アーム２に装着されたロックレバー５でロック保持する。この状態では、左のアーム１は図７に向かって左側の枢支軸４Ａを中心にして逃げ溝３３の形成範囲内で揺動しながら、中間刃体３と共同して絶縁被覆を切断する。逆に、右方のアーム２に設けたロックレバー５を退避揺動して、中間刃体３を左方のアーム１とロックレバー５でロック保持した状態では、右方のアーム２は図７に向かって右側の枢支軸４Ｂを中心にして逃げ溝３３の形成範囲内で揺動しながら、中間刃体３と共同して絶縁被覆を切断する。
【００３８】
以上のように、各切刃１８〜２３の切刃中心線Ｐ７・Ｐ８を各枢支軸４Ａ・４Ｂの中心を通る平行線上に設けると、左右のあご部１ｂ・２ｂの幅寸法をさらに小さくして、ワイヤーストリッパーをコンパクト化できる。また、各切刃１８〜２３の切刃中心線Ｐ７・Ｐ８が中間刃体３の中心軸線Ｑと平行になるので、絶縁被覆を切断除去するときの作業性を向上できる。
【００３９】
図１０はロック体５の別の実施例を示す。そこでは中間刃体３の下部に、左右スライド自在なロックノブ（ロック体）５を設け、ロックノブ５を左右スライド操作することにより、そのロック爪３５を各アーム１・２の交差壁１ａ・２ａの対向縁に切り欠き形成した係合部１５に対して択一的に係合させ、中間刃体３を揺動規制できるようにした。符号３６は中間刃体３に形成したスライド溝、符号３７はロックノブ５に固定したスライドピンである。
【００４０】
図１０に示すように、ロック爪３５を右方のアーム２に設けた係合部１５に係合した状態では、中間刃体３は右方のアーム２と一体化され、左方のアーム１に対して相対揺動できる。逆に、ロック爪３５を左方のアーム１に設けた係合部１５に係合した状態では、中間刃体３は左方のアーム１と一体化され、右方のアーム１に対して相対揺動できる。
【００４１】
図１１および図１２は、ワイヤーストリッパーのさらに別の実施例を示す。そこでは、図７で説明したワイヤーストリッパーと同様に、Ｘ字状に交差配置される一対のアーム１・２と、両アーム１・２の交差壁１ａ・２ａの間に配置される中間刃体３とを、各アーム１・２に対応する２個の枢支軸４Ａ・４Ｂで連結した。さらに、一方のアーム１のあご部１ｂと中間刃体３との対向縁に、複数個の切刃１８〜２０を列状に配置した。さらに、他方のアーム２のあご部２ｂと中間刃体３との対向縁に、複数個のかしめ刃４１〜４４を列状に配置した。詳しくは、中間刃体３の側に、４個のかしめ突起４１ａを形成し、アーム２のあご部２ｂの側にかしめ突起４１ａに対応する４個のかしめ溝４１ｂを形成した。４個の各かしめ刃４１〜４４の大きさは、圧着端子のかしめ筒の直径寸法に応じて大小に異ならせてある。
【００４２】
図１２に示すように、中間刃体３とアーム１のあご部１ｂとは鋏刃状の切刃面を形成するように段違い状に配置するが、中間刃体３とアーム２のあご部２ｂとは、お互いの対向側面が正対するように配置して、かしめ突起４１ａがかしめ溝４１ｂに入込むようにしてある。そのために、右方のアーム２のあご部２ｂの下端部を中間刃体３の厚み寸法分だけ交差壁２ａから段上がり状に折り曲げている。この実施例においては挟持爪９を省略した。なお、かしめ刃４１〜４４を一方のアーム１のあご部１ｂと中間刃体３との対向縁に形成し、他方のアーム２のあご部２ｂと中間刃体３との対向縁に切刃１８〜２０を形成することができる。さらに必要があれば、両アーム１・２と中間刃体３との対向縁のそれぞれにかしめ刃４１〜４４を形成することができる。この実施例は、図１から図６で説明した、両アーム１・２と中間刃体３を１個の枢支軸４で連結する構造のワイヤーストリッパーにも同様に適用できる。
【００４３】
上記の実施例では、平形電力ケーブル用のワイヤーストリッパーについて説明したが、本発明は丸型電力ケーブルや、同軸ケーブル、通信ケーブルなどに対応したワイヤーストリッパーとして構成することができる。要は、あご部１ｂ・２ｂと中間刃体３との対向縁に、各ケーブルに適合した複数の切刃や、圧着端子をかしめるためのかしめ溝などが形成してあればよい。
【図面の簡単な説明】
【００４４】
【図１】ワイヤーストリッパーの正面図である。
【図２】ワイヤーストリッパーの分解斜視図である。
【図３】使用状態におけるストリッパー要部の正面図である。
【図４】不使用状態におけるストリッパー要部の正面図である。
【図５】図４におけるＡ−Ａ線断面図である。
【図６】図４におけるＢ−Ｂ線断面図である。
【図７】ワイヤーストリッパーの別の実施例を示す要部の正面図である。
【図８】使用状態におけるストリッパー要部の正面図である。
【図９】図８におけるＣ−Ｃ線断面図である。
【図１０】ロック体の別の実施例を示すストリッパー要部の正面図である。
【図１１】ワイヤーストリッパーの別の実施例を示す正面図である。
【図１２】図１１におけるＤ−Ｄ線断面図である。
【図１３】従来のワイヤーストリッパーの正面図である。
【符号の説明】
【００４５】
１・２  アーム
３  中間刃体
４  枢支軸
５  ロックレバー
１８・１９・２０・２１・２２・２３  切刃
【図１】
2008289328.tif 000003
【図２】
2008289328.tif 000004
【図３】
2008289328.tif 000005
【図４】
2008289328.tif 000006
【図５】
2008289328.tif 000007
【図６】
2008289328.tif 000008
【図７】
2008289328.tif 000009
【図８】
2008289328.tif 000010
【図９】
2008289328.tif 000011
【図１０】
2008289328.tif 000012
【図１１】
2008289328.tif 000013
【図１２】
2008289328.tif 000014
【図１３】
2008289328.tif 000015